(57)【特許請求の範囲】
【請求項１】
一面と他面との両面を有する隔壁に該一面と該他面とを連通させるように形成された貫通孔に取り付けられるノズル形成器具であって、
該一面に当接する一面当接部を有し、該他面側に突出するよう該貫通孔を貫通する一面側部材であり、該貫通孔に貫入される棒状の貫通部と、貫通部の一端側に形成された一面当接部を有する頭部と、を有する一面側部材と、
該他面に当接する部分である他面当接部を有し、一面側部材に係合する他面側部材と、
を備えてなり、
一面側部材と他面側部材とが係合することにより一面当接部と他面当接部との間に隔壁が挟持されることにより隔壁に取り付けられると共に、隔壁に取り付けられた状態において、該貫通孔を塞ぐと共に一面側の空間と他面側の空間とを連通させる連通路の一部又は全部が、頭部に形成された一面側開口と、貫通部に形成された他面側開口と、一面側開口と他面側開口とを連通させる流路と、により形成されるものであり、
頭部が、外部空間と内部空間とを連通させる一面側開口を構成する流通穴が形成された筒部材であって、一縁が該一面に当接する一面当接部を構成すると共に貫通部を取り囲む筒部材と、筒部材を該一面との間で挟持し該一面に沿った少なくとも一方向への筒部材の移動を制限する頭部本体を、を有し、
貫通部が、筒部材の内部に存する貫通部に形成された貫通部開口と、貫通部開口と他面側開口とを連通させる貫通部流路と、を有し、
一面側開口を構成する流通穴と他面側開口とが、筒部材の内部空間と貫通部流路とにより連通されるものである、ノズル形成器具。
【請求項２】
前記連通路が前記一面が属する平面に開口している、請求項１に記載のノズル形成器具。
【請求項３】
前記流通穴が貫通部開口よりも小さいものである、請求項１又は２に記載のノズル形成器具。
【請求項４】
頭部本体が、筒部材の内面に当接する内面当接部と、筒部材の筒外面に当接する外面当接部と、のいずれか一方又は両方を有するものである、請求項１乃至３のいずれか１に記載のノズル形成器具。
【請求項５】
前記貫通部の外周面の少なくとも一部には雄ねじが螺刻されると共に、他面側部材は、該雄ねじが螺嵌される雌ねじが螺刻されているものである、請求項１乃至４のいずれか１に記載のノズル形成器具。
【請求項６】
他面側部材が、一端側から内周面に前記雌ねじが螺刻された管部材であり、貫通部の他端を内部に収容するものである、請求項５に記載のノズル形成器具。
【請求項７】
前記管部材に導管が接続可能である、請求項６に記載のノズル形成器具。
【請求項８】
一面側部材と他面側部材との少なくとも一方が、該一方が当接する隔壁の面と該一方との間の液密性及び／又は気密性を保つよう前記貫通孔を取り囲むよう該間に介在するガスケット部材を有するものである、請求項１乃至７のいずれか１に記載のノズル形成器具。
【請求項９】
請求項１乃至８のいずれか１に記載のノズル形成器具を構成する前記一面側部材。
【請求項１０】
請求項１乃至８のいずれか１に記載のノズル形成器具を構成する前記他面側部材。
【請求項１１】
請求項１乃至８のいずれか１に記載のノズル形成器具を構成する前記一面側部材と前記他面側部材とを含むセット。
【発明の詳細な説明】
【技術分野】
【０００１】
本発明は、ノズル形成器具に関し、より詳細には、一面と他面との両面を有する隔壁（容器や装置等において配設される隔壁）に該一面と該他面とを連通させるように形成された貫通孔に取り付けられることで、隔壁の一面側の空間に連通するよう他面側に突出するノズルを形成するノズル形成器具に関する。形成されるノズルには、例えば、他面側において導管を繋ぐことができる。
【背景技術】
【０００２】
一面と他面との両面を有する隔壁（容器や装置等において配設される隔壁）に、該一面側の空間に連通し該他面側に突出するノズルを形成することは、様々な分野において行われている（例えば、特許文献１）。
特許文献１に開示の発明は、「タンクその他の容器に配管その他の付属部品を取り付けるために使用する接続部材」（特許文献１の段落番号０００１）に関するものであるが、「タンクの側壁面に配管を接続するために使用するフランジ部や取付け座が予め突設されている。また、規格品のタンクでは前記フランジ部や取付け座を設ける位置が所定箇所に定められている。」（特許文献１の段落番号０００２）が、「現場における据付け時に、配管などの変更追加作業が発生した場合、簡単に対応できないという問題があった。」（特許文献１の段落番号０００３）こと等に鑑みてなされたものである。
具体的には、特許文献１は、「円筒形状などの湾曲壁の任意の位置に取り付けることができる配管などの接続部材を提供する」（特許文献１の要約の課題）ためになされたものであり、「接続部材１０は、円筒形状などの湾曲壁２を有するタンクその他の容器１の前記湾曲壁２に設けた開口３に相対して設けられ、前記容器１の内方へ突出する環状胴部１１と、前記環状胴部１１の外端周縁に連設され、前記湾曲壁２の内側面２ａ又は外側面２ｂに添う湾曲座面１３を有するフランジ部１２と、前記環状胴部１１の内端部を塞ぐように設けられ、平坦な取付け座面１５を有する取付け部１４とを有し、前記フランジ部１２を前記湾曲壁２の内側面２ａ又は外側面２ｂに固着して使用する。取付け部１４には配管５その他の部品の取付孔１６及び／又は連通口１７が設けられている。」（特許文献１の要約の解決手段）ものが開示されている。
【０００３】
【特許文献１】特開２００１−３３０１８７号公報（例えば、要約、発明の詳細な説明中の段落番号０００１〜０００６、００１１〜００１５、第１〜３図等）
【発明の開示】
【発明が解決しようとする課題】
【０００４】
確かに、特許文献１に開示の接続部材は、容器１の壁２に設けた開口３に相対して容器１の内方へ設けられることで、配管５を容器１の内部空間に連通するよう取り付けることができる。
しかしながら、特許文献１に開示の接続部材を、壁２に設けた開口３に取り付けるには、「フランジ部１２の湾曲座面１３を湾曲壁２の内側面２ａに密着させて接着剤で固着することにより取り付けられる。フランジ部１２を湾曲壁２の内側面２ａに固着させる手段には、接着剤の他、溶接あるいはボルトその他・公知の締結手段を採用することが可能である。」（特許文献１の段落番号００１４）とのように、接着剤、溶接、ボルト等のような手段を要するものであり、これによって例えば次のような問題を生じうる。即ち、接着剤による接着は接着剤の硬化時間を要すること（作業性の低下）や壁２の材質によっては採用できないという問題を生じ得るし、溶接は近傍に引火物がある場合は危険であることや壁２の材質によっては採用できないという問題を生じ得るし、そしてボルトは接続部材以外にボルトを予め用意することを要するという問題を生じ得る。
【０００５】
そこで、本発明においては、接着剤、溶接、ボルト等のような取付の手段を必ずしも要することなく、隔壁（特許文献１においては壁２）に形成された貫通孔（特許文献１においては開口３）に取り付けられるノズル形成器具を提供することを目的とする（ノズルとは、該隔壁の一面側に存する空間に一端が存し、該隔壁の他面側に突出した他端が該空間に連通するものである。）。
【課題を解決するための手段】
【０００６】
本発明のノズル形成器具（以下、「本器具」という。）は、一面と他面との両面を有する隔壁に該一面と該他面とを連通させるように形成された貫通孔に取り付けられるノズル形成器具であって、該一面に当接する一面当接部を有し、該他面側に突出するよう該貫通孔を貫通する一面側部材と、該他面に当接する他面当接部を有し、一面側部材に係合する他面側部材と、を備えてなり、一面側部材と他面側部材とが係合することにより一面当接部と他面当接部との間に隔壁が挟持されることにより隔壁に取り付けられると共に、隔壁に取り付けられた状態において、該貫通孔を塞ぐと共に一面側の空間と他面側の空間とを連通させる連通路が内部に形成されるものである、ノズル形成器具である。
【０００７】
本器具は、隔壁に形成された貫通孔に取り付けられることで、ノズルを形成するものである。ここに隔壁は、一面と他面との両面を有し、一面側に存する空間と他面側に存する空間とを分けるものであり、貫通孔は、隔壁に該一面と該他面とを連通させるように形成される。本器具が該隔壁の貫通孔に取り付けられることで形成されるノズルは、該隔壁の一面側に存する空間に一端が存し、該隔壁の他面側に突出した他端が該空間に連通する管状のものである。
本器具は、一面側部材と他面側部材とを備えてなる。
本器具が隔壁の貫通孔に取り付けられた状態（以下、「取付状態」という。）において、一面側部材は、隔壁の該一面に当接する一面当接部を有すると共に、該他面側に突出するよう該貫通孔を貫通する。
取付状態において、他面側部材は、隔壁の該他面に当接する他面当接部を有すると共に、一面側部材に係合する。
そして、取付状態において、一面側部材と他面側部材とが係合することにより一面当接部（隔壁の該一面に当接する）と他面当接部（隔壁の該他面に当接する）との間に隔壁が挟持される。このように一面側部材の一面当接部と、他面側部材の他面当接部と、の間に隔壁を本器具が挟持することによって、本器具は隔壁に取り付けられる。
さらに、隔壁に取り付けられた状態（取付状態）において、本器具が該貫通孔を塞ぐと共に、一面側の空間（隔壁の該一面に面する空間）と他面側の空間（隔壁の該他面に面する空間）とを連通させる連通路が本器具の内部に形成される。
これによって隔壁に形成された貫通孔に本器具を取り付けることで、本器具の内部に該連通路が形成されるので、本器具は、隔壁の一面側に存する空間に一端が存し、隔壁の他面側に突出した他端が該空間（一面側の空間）に連通するノズルを形成することができる。
以上のように、本器具は、特許文献１に開示の接続部材のように隔壁の貫通孔に取り付ける際に接着剤、溶接、ボルト等のような取付の格別の手段を要することなく、一面側部材の一面当接部と、他面側部材の他面当接部と、の間に隔壁が挟持されることによって隔壁に形成された貫通孔に取り付けられるノズル形成器具である。
【０００８】
一面側部材が、前記貫通孔に貫入される棒状の貫通部と、貫通部の一端側に形成された一面当接部を有する頭部と、を有してなり、頭部に形成された一面側開口と、貫通部に形成された他面側開口と、一面側開口と他面側開口とを連通させる流路と、により前記連通路の一部又は全部が形成されるもの（以下、「貫通部保有本器具」という。）であってもよい。
こうすることにより一面側の空間と他面側の空間とに跨るように配設される一面側部材が、貫通孔に貫入される貫通部と、一面当接部を有する頭部と、を有し、頭部に形成された一面側開口と、貫通部に形成された他面側開口と、が内部に形成された流路により連通される。このため一面側の空間と他面側の空間とに跨るように配設される一面側部材の内部に形成された流路が前記連通路の少なくとも一部（一部又は全部）を形成することから、連通路の該少なくとも一部を確実に形成し保持することができる。
【０００９】
貫通部保有本器具の場合、前記頭部が、外部空間と内部空間とを連通させる一面側開口を構成する流通穴が形成された筒部材であって、一縁が前記一面に当接する一面当接部を構成すると共に前記貫通部を取り囲む筒部材を有しており、前記貫通部が、筒部材の内部に存する貫通部に形成された貫通部開口と、貫通部開口と他面側開口とを連通させる貫通部流路と、を有するものであり、一面側開口を構成する流通穴と他面側開口とが、筒部材の内部空間と貫通部流路とにより連通されるもの（以下、「フィルター保有本器具」という。）であってもよい。
頭部が有する筒部材は、筒の一縁（筒が有する上下の両開口のうち一方の開口を規定する縁）が前記一面に当接する一面当接部を構成すると共に、貫通部を取り囲む（即ち、貫通部が筒部材の内部空間に内嵌される。）。加えて、筒部材の側面（外部空間と内部空間とを仕切る面）には、外部空間と内部空間とを連通させる一面側開口を構成する流通穴が形成されている。
さらに、貫通部が、筒部材の内部に存する貫通部に形成された貫通部開口と、貫通部開口と他面側開口とを連通させる貫通部流路と、を有し、一面側開口を構成する流通穴と他面側開口とが、筒部材の内部空間と貫通部流路とにより連通されるので、筒部材に形成された流通穴を通過可能なもの（例えば、液体や気体等の流体）のみが筒部材の外部空間から内部空間へ進入し、筒部材の内部空間に存する貫通部開口から貫通部流路を経て他面側開口へ到ることができるので、流通穴が形成された筒部材が異物を除去するフィルターの役割を果たすことができる（例えば、貫通部流路内での異物の閉塞等を防止又は減少させることができる。）。
【００１０】
フィルター保有本器具の場合、前記流通穴が貫通部開口よりも小さいものであってもよい。
こうすることで筒部材に形成された流通穴を通過したものは、流通穴よりも大きな貫通部開口を通過することができるので、筒部材の外部空間から内部空間へ進入したものは、筒部材の内部空間に存する貫通部開口から貫通部流路を経て他面側開口へ円滑に到ることができるので、流通穴が形成された筒部材が異物を除去するフィルターの役割を一層効果的に果たすことができ、例えば、貫通部流路内での異物の閉塞等を効果的に防止又は減少させることができる。
なお、流通穴及び貫通部開口の大小は、通過可能な球の最大直径により比較するものであり、具体的には、「流通穴が貫通部開口よりも小さい」とは、流通穴を通過可能な球の最大直径Ｄが、貫通部開口を通過可能な球の最大直径ｄよりも小さい（Ｄ＜ｄ）であることをいう。
【００１１】
フィルター保有本器具の場合、前記頭部が、前記筒部材を前記一面との間で挟持し、前記一面に沿った少なくとも一方向への筒部材の移動を制限する頭部本体を有するもの（以下、「筒部材移動制限本器具」という。）であってもよい。
こうすることで、頭部本体が、筒部材を前記一面との間で挟持し、前記一面に沿った少なくとも一方向への筒部材の移動を制限するので、筒部材が不意に移動して脱落等することを防止又は減少させ、筒部材がフィルターの役割を確実に果たすことができる。
なお、頭部本体は、前記一面に沿った少なくとも一方向への筒部材の移動を制限すればよいが、前記一面に沿った複数方向への筒部材の移動を制限する方が好ましく、前記一面に沿った全方向への筒部材の移動を制限してよいことは言うまでもない。
【００１２】
筒部材移動制限本器具の場合、頭部本体が、筒部材の内面に当接する内面当接部と、筒部材の筒外面に当接する外面当接部と、のいずれか一方又は両方を有するものであってもよい。
筒部材の内面に当接する内面当接部と、筒部材の筒外面に当接する外面当接部と、は、いずれも簡単な構成でありながら、前記一面に沿った少なくとも一方向への筒部材の移動を確実に制限することができる。内面当接部と外面当接部とのいずれか一方を有しても、また両方を有してもよい。
【００１３】
貫通部保有本器具の場合、前記貫通部の外周面の少なくとも一部には雄ねじが螺刻されると共に、他面側部材は、該雄ねじが螺嵌される雌ねじが螺刻されているもの（以下、「螺嵌本器具」という。）であってもよい。
こうすることで、一面側部材が有する貫通部の外周面の少なくとも一部に螺刻された雄ねじと、他面側部材に螺刻された雌ねじと、が螺嵌することで、一面側部材と他面側部材とが確実に係合すると共に一面当接部（隔壁の該一面に当接する）と他面当接部（隔壁の該他面に当接する）との間をうまく調節することができるので隔壁を確実かつ円滑に挟持することができる。このことは一面側部材の一面当接部と、他面側部材の他面当接部と、の間を円滑に調節することで隔壁を本器具がうまく挟持することによって、本器具が隔壁に確実に取り付けられる。
【００１４】
螺嵌本器具の場合、他面側部材が、一端側から内周面に前記雌ねじが螺刻された管部材であり、貫通部の他端を内部に収容するものであってもよい。
こうすることで他面側開口を貫通部の他端に形成すれば、他面側部材を構成する管部材が、前記連通路の一部を構成することができる。具体的には、他面側部材を構成する管部材のうち、内周面に前記雌ねじが螺刻された該一端側から貫通部の外周面に螺刻された雄ねじを螺嵌し、貫通部の他端が該管部材の内部に収容された状態とすれば、貫通部の他端から、他面側部材を構成する管部材の該一端側とは反対の他端側までが前記連通路の一部を構成する。
この状態においては、他面側部材を構成する管部材に導管を接続可能にしてもよく、そうすれば隔壁の該一面側に存する空間に連通するよう該導管が接続されるので、該空間に存する流体を該導管へ導いたり、逆に該導管を通じて該空間へ流体を導入することができる。とりわけ他面側部材を構成する管部材の該他端にに導管を接続可能にしてもよく、そうすれば該他端に導管を接続することを可能ならしめる手段（例えば、導管の端部に形成されたネジと螺合するネジを螺刻したり、導管の端部を接続可能なコネクターを設ける等）を容易に設けることができる。
【００１５】
本器具においては、一面側部材と他面側部材との少なくとも一方が、該一方が当接する隔壁の面と該一方との間の液密性及び／又は気密性を保つよう前記貫通孔を取り囲むよう該間に介在するガスケット部材を有するものであってもよい。
本器具は、一面当接部と他面当接部との間に隔壁が挟持されることにより隔壁に取り付けられ、隔壁に取り付けられた本器具により前記貫通孔が塞がれるが、かかる状態においても前記貫通孔を経由して隔壁の前記一面側の空間と前記他面側の空間との間で液体や気体の漏れが問題になることがあり、これを防止又は減少させるためにこのようなガスケット部材を配設するようにしてもよい。ガスケット部材は、一面側部材と他面側部材との少なくとも一方が、該一方が当接する隔壁の面（具体的には、該一方が一面側部材であれば前記一面であり、該一方が他面側部材であれば前記他面である。）と該一方との間の液密性及び／又は気密性を保つよう前記貫通孔を取り囲むよう該間（具体的には、該一方が一面側部材であれば前記一面と一面側部材との間であり、該一方が他面側部材であれば前記他面と他面側部材との間である。）に介在する。ガスケット部材は、該間における所望程度の液密性及び／又は気密性が得られるものであればよく、通常は、ゴム、コルク、樹脂材料等のような柔軟な材質（該間をうまく埋めることができる）にて形成され、またガスケット部材の形状は、貫通孔を取り囲むよう該間に介在するものであればいかなるものであってもよく何ら制限されないが、閉曲線に沿った形状（例えば、環状やｎ角形状（但しｎは３以上の自然数を示す）を例示することができる。）をしていてもよい。
【００１６】
本器具においては、前記連通路が前記一面が属する平面に開口していてもよい。
こうすることで隔壁の該一面に沿って流れてきた流体（例えば、該一面に沿って流れてきた液体）が、該一面が属する平面に開口が存する前記連通路に円滑に流入することができる。
【００１７】
本器具は、容器や装置等の隔壁に形成された貫通孔に容易に取り付けられるので、様々な目的に使用することができる。
例えば、容器や装置等を使用する現場において、隔壁に形成した貫通孔に取り付けることもできる。
また、本器具は、本器具を構成する前記一面側部材と前記他面側部材とを含むセットとして製造や販売等がされてもよいが、前記一面側部材と前記他面側部材とのいずれか一方のみで製造や販売等がされてもよい。
【発明を実施するための最良の形態】
【００１８】
以下、本発明の実施の形態を図面を参照して説明する。しかしながら、これらによって本発明は何ら制限されるものではない。
【００１９】
（第１実施形態）
図１は、第１実施形態の本発明のノズル形成器具（以下、「第１本器具」という。）１１を、隔壁２０１に形成された貫通孔（図２には貫通孔２０７として示す）に取り付けたところを示す図である（具体的には、図１（ａ）は隔壁２０１が有する一面２０３と他面２０５とのうち一面２０３側から見たところを示す平面図であり、図１（ｂ）は図１（ａ）中の矢印Ａ方向から見た正面図である。なお、ここでは隔壁２０１は平板部材により構成されており、一面２０３と他面２０５とのいずれも平面を略なしている。）。図２は、図１（ｂ）のＢ−Ｂ断面図である（図１（ａ）中にも断面位置Ｂ−Ｂを示した。）。図３は、第１本器具１１を構成するボルト部２１（一面側部材）を示す図である（具体的には、図３（ａ）はボルト部２１の正面図であり、図３（ｂ）はボルト部２１の底面図（図３（ａ）の矢印Ｊ方向から見たところを示している）であり、図３（ｃ）は図３（ｂ）のＫ−Ｋ断面図である。）。図４は、第１本器具１１を構成するパイプ部３１（他面側部材）を示す図である（具体的には、図４（ａ）はパイプ部３１の正面図であり、図４（ｂ）はパイプ部３１の底面図（図４（ａ）の矢印Ｅ方向から見たところを示している）であり、図４（ｃ）は図４（ａ）のＦ−Ｆ断面図である。但し、図４（ｃ）においては、理解を容易にするため、パイプ部３１からガスケット部材３９を取り外した状態を示している。）。これら図１乃至図４を参照して、第１本器具１１について説明する。
なお、ここでは隔壁２０１は、図示しない冷房装置の下面を形成するもので、一面２０３と他面２０５とが略水平をなし、該冷房装置から生じる凝縮水（不図示）が一面２０３に滴下するものであり（即ち、ここでは一面２０３が略水平な上面を形成する。）、かかる凝縮水を該冷房装置外へ排水するために隔壁２０１にノズルを形成する目的で第１本器具１１が取り付けられている。また、図２においては、図示を容易にするため、後述の雄ねじ２３ｂ、雌ねじ３３及び雌ねじ３５のねじ山の図示を省略している。
【００２０】
第１本器具１１は、ボルト部２１とパイプ部３１とを備えてなる。
ボルト部２１は、後述の一面側開口２７ａと他面側開口２７ｂと流路２７ｃとが形成されていることを除き、通常の六角ボルトと類似した外形をしている。具体的には、ボルト部２１は、直円柱形状をした軸部２３と、軸部２３の一端側に形成されたボルト頭２５と、を有してなり、軸部２３の外周面には雄ねじ２３ｂが螺刻されると共に、ボルト頭２５は直正六角柱形状を略している。ボルト頭２５の下面２５ａは、軸部２３の長手方向（図中、矢印Ｌ）に対して略垂直な平面に沿うよう形成されている。
軸部２３の他端側（ボルト頭２５が形成された該一端側と反対側）の先端には、他面側開口２７ｂが略円形（軸部２３が形成する直円柱の軸に中心が略存する円）に形成されている。ボルト頭２５の側面には、一面側開口２７ａが略円形に形成されている（一面側開口２７ａの一部は、軸部２３の該一端側にかかるように形成されている。）。そして、軸部２３が形成する直円柱の軸に対して略垂直方向に向かって一面側開口２７ａまで第１流路２７ｃ１が形成されると共に、軸部２３が形成する直円柱の軸に沿って他面側開口２７ｂまで第２流路２７ｃ２が形成されており、第１流路２７ｃ１と第２流路２７ｃ２とが交部２７ｃ３にて連通することで、一面側開口２７ａと他面側開口２７ｂとが流路２７ｃ（第１流路２７ｃ１と第２流路２７ｃ２と交部２７ｃ３とを含む。）によって連通する。
【００２１】
パイプ部３１は、直円筒形状をした両端が開放された中空の管部材によって形成されている。
パイプ部３１は、ボルト部２１の軸部２３の外周面に螺刻された雄ねじ２３ｂが螺嵌される雌ねじ３３が一端側から該直円筒の軸に沿って螺刻されると共に、雌ねじ３３の内径とは異なる内径（ここでは雌ねじ３３の内径よりも小さい内径）で雌ねじ３５が他端側から該直円筒の軸に沿って螺刻されている。パイプ部３１の該一端には、ガスケット部材３９を嵌入する凹部３８が形成されている。なお、ガスケット部材３９は、断面が略円形の環状（ドーナッツ形状）をした部材であり、弾性を有するゴム材料によって一体に形成されている。ガスケット部材３９は、凹部３８に嵌入された状態では上部がやや凹部３８から突出することで（特に、図４（ａ）参照）、隔壁２０１に第１本器具１１が取り付けられた状態においては、隔壁２０１の他面２０５に（ガスケット部材３９の）全周にわたって当接し、パイプ部３１と他面２０５との間の液密性及び気密性を保つ（特に、図２参照）。加えて、パイプ部３１の該他端近傍の外周には、レンチ等の工具が係合可能な工具係合窪み３６ａ、３６ｂが形成されている。レンチ等の工具（不図示）を工具係合窪み３６ａ、３６ｂに係合させることで、該工具によってパイプ部３１を該直円筒の軸の周りに回転させたり、パイプ部３１が該軸の周りに回転することを防止（共回り防止）することができる。
そして、パイプ部３１は、該一端側に形成された一端開口３７ａと、該他端側に形成された他端開口３７ｂと、が内部空間３７ｃによって連通されている。
【００２２】
このような第１本器具１１を用い、隔壁２０１にノズルを形成する方法を簡単に説明しておく。
第１に、隔壁２０１の所定位置（ノズルを形成すべき位置）に、ボルト部２１の軸部２３が嵌入できるような貫通孔２０７を穿設する。なお、貫通孔２０７は、第１本器具１１を取り付けることで塞ぐことができる程度の大きさにする。
第２に、穿設した貫通孔２０７にボルト部２１の軸部２３を嵌入する。このときボルト頭２５の下面２５ａが隔壁２０１の一面２０３に面するよう、貫通孔２０７に軸部２３を嵌入する。
第３に、貫通孔２０７に嵌入された軸部２３の外周面に螺刻された雄ねじ２３ｂに、パイプ部３１に螺刻された雌ねじ３３を螺嵌する。このときガスケット部材３９は凹部３８に予め嵌入しておく。
第４に、雄ねじ２３ｂが雌ねじ３３に深く螺嵌するように、パイプ部３１に対してボルト部２１を回転させる。このとき必要に応じ、レンチ等の工具（不図示）を工具係合窪み３６ａ、３６ｂに係合させ、パイプ部３１がボルト部２１と一緒に回ること（共回り）を防止することができる。
図２に示すように、隔壁２０１の他面２０５にガスケット部材３９が全周にわたって当接し、パイプ部３１と他面２０５との間の液密性及び気密性が保たれるようになるまでパイプ部３１に対してボルト部２１を回転させれば（ボルト頭２５の下面２５ａとガスケット部材３９との間に隔壁２０１が挟持されるようにする。）、第１本器具１１の取り付けが完了する。
その後、必要があれば、パイプ部３１の他端開口３７ｂに、図示しない導管等を取り付けることができる（例えば、雌ねじ３５に螺合する雄ねじを該導管の端部に形成してもよい。）。
こうすることで第１本器具１１を用い隔壁２０１にノズル（隔壁２０１の一面２０３に面する空間に他端開口３７ｂが連通する。）を形成することで、前記冷房装置（不図示）から生じる凝縮水（不図示）が一面２０３に滴下し、一面２０３に沿って一面側開口２７ａに到達すると、一面側開口２７ａから流路２７ｃ（第１流路２７ｃ１と第２流路２７ｃ２と交部２７ｃ３とを含む。）を通過し他面側開口２７ｂに到り、さらに内部空間３７ｃを通過して他端開口３７ｂから排出される。このように第１本器具１１を隔壁２０１に取り付けることで、隔壁２０１の一面２０３側に存する空間に一端が存し、隔壁２０１の他面２０５側に突出した他端が該空間（隔壁２０１の一面２０３側に存する空間）に連通する管状のノズルを形成することができる。
【００２３】
以上説明した通り、第１本器具１１は、一面２０３と他面２０５との両面を有する隔壁２０１に該一面２０３と該他面２０５とを連通させるように形成された貫通孔２０７に取り付けられるノズル形成器具であって、該一面２０３に当接する一面当接部（ここではボルト頭２５の下面２５ａ）を有し、該他面２０５側に突出するよう該貫通孔２０７を貫通する一面側部材たるボルト部２１と、該他面２０５に当接する他面当接部（ここではガスケット部材３９）を有し、一面側部材（ボルト部２１）に係合する他面側部材たるパイプ部３１と、を備えてなり、一面側部材（ボルト部２１）と他面側部材（パイプ部３１）とが係合することにより一面当接部（ボルト頭２５の下面２５ａ）と他面当接部（ガスケット部材３９）との間に隔壁２０１が挟持されることにより隔壁２０１に取り付けられると共に、隔壁２０１に取り付けられた状態において、該貫通孔２０７を塞ぐと共に一面２０３側の空間と他面２０５側の空間とを連通させる連通路（一面側開口２７ａから流路２７ｃ（第１流路２７ｃ１と第２流路２７ｃ２と交部２７ｃ３とを含む。）を通過し他面側開口２７ｂに到り、さらに内部空間３７ｃを通過して他端開口３７ｂに至る内部空間）が内部に形成されるものである、ノズル形成器具である。
そして、第１本器具１１においては、一面側部材（ボルト部２１）が、前記貫通孔２０７に貫入される棒状の貫通部たる軸部２３と、貫通部（軸部２３）の一端側に形成された一面当接部（ボルト頭２５の下面２５ａ）を有する頭部たるボルト頭２５と、を有してなり、頭部（ボルト頭２５）に形成された一面側開口２７ａと、貫通部（軸部２３）に形成された他面側開口２７ｂと、一面側開口２７ａと他面側開口２７ｂとを連通させる流路（ここでは流路２７ｃ（第１流路２７ｃ１と第２流路２７ｃ２と交部２７ｃ３とを含む。））と、により前記連通路（一面側開口２７ａから流路２７ｃ（第１流路２７ｃ１と第２流路２７ｃ２と交部２７ｃ３とを含む。）を通過し他面側開口２７ｂに到り、さらに内部空間３７ｃを通過して他端開口３７ｂに至る内部空間）の一部が形成されるものである。
【００２４】
第１本器具１１においては、前記貫通部（軸部２３）の外周面の少なくとも一部には雄ねじ２３ｂが螺刻されると共に、他面側部材（パイプ部３１）は、該雄ねじ２３ｂが螺嵌される雌ねじ３３が螺刻されているものである。
第１本器具１１においては、他面側部材（パイプ部３１）が、一端側から内周面に前記雌ねじ３３が螺刻された管部材であり、貫通部（軸部２３）の他端（他面側開口２７ｂが形成された側。ボルト頭２５が形成された該一端側と反対側）を内部（内部空間３７ｃ）に収容するものである。加えて、他面側部材（パイプ部３１）を構成する管部材に導管が接続可能である。例えば、パイプ部３１の他端開口３７ｂ側に螺刻された雌ねじ３５に導管の一端をつなぐこともできる。
第１本器具１１においては、一面側部材（ボルト部２１）と他面側部材（パイプ部３１）との少なくとも一方（ここでは他面側部材（パイプ部３１））が、該一方（ここでは他面側部材（パイプ部３１））が当接する隔壁２０１の面（他面２０５）と該一方（ここでは他面側部材（パイプ部３１））との間の液密性及び／又は気密性を保つよう前記貫通孔２０７を取り囲むよう該間（該一方（ここでは他面側部材（パイプ部３１））が当接する隔壁２０１の面（他面２０５）と該一方（ここでは他面側部材（パイプ部３１））との間）に介在するガスケット部材３９を有するものである。
そして、第１本器具１１においては、前記連通路（一面側開口２７ａから流路２７ｃ（第１流路２７ｃ１と第２流路２７ｃ２と交部２７ｃ３とを含む。）を通過し他面側開口２７ｂに到り、さらに内部空間３７ｃを通過して他端開口３７ｂに至る内部空間）が前記一面２０３が属する平面に開口している。即ち、前記連通路の一面側開口２７ａを、前記一面２０３が属する平面が通過している。
これら第１本器具１１を構成する前記一面側部材（ボルト部２１）及び前記他面側部材（パイプ部３１）はいずれか一方単独で製造や販売等されてもよいが、前記一面側部材（ボルト部２１）と前記他面側部材（パイプ部３１）とを含むセットとして製造や販売等されてもよい。
【００２５】
（第２実施形態）
図５は、第２実施形態の本発明のノズル形成器具（以下、「第２本器具」という。）５１を、隔壁２０１に形成された貫通孔（図６には貫通孔２０７として示す）に取り付けたところを示す図である（具体的には、図５（ａ）は隔壁２０１が有する一面２０３と他面２０５とのうち一面２０３側から見たところを示す平面図であり、図５（ｂ）は図５（ａ）中の矢印Ｃ方向から見た正面図である。なお、ここでは隔壁２０１は平板部材により構成されており、一面２０３と他面２０５とのいずれも平面を略なしている。）。図６は、図５（ｂ）のＤ−Ｄ断面図である（図５（ａ）中にも断面位置Ｄ−Ｄを示した。）。図７は、第２本器具５１を構成するボルト部６１を示す図である（具体的には、図７（ａ）はボルト部６１の正面図であり、図７（ｂ）はボルト部６１の底面図（図７（ａ）の矢印Ｍ方向から見たところを示している）であり、図７（ｃ）は図７（ｂ）のＮ−Ｎ断面図である。）。図８は、第２本器具５１を構成するフィルター部７１（筒部材）を示す図である（具体的には、図８（ａ）はフィルター部７１の平面図であり、図８（ｂ）はフィルター部７１の正面図（図８（ａ）の矢印Ｐ方向から見たところを示している）であり、図８（ｃ）は図８（ｂ）のＧ−Ｇ断面図である。）。なお、第２本器具５１を構成するパイプ部３１（他面側部材）は、第１本器具１１を構成するパイプ部３１（他面側部材）と同様のものを用いているので、ここではパイプ部３１に関する説明を省略する（必要に応じ、第１本器具１１を構成するパイプ部３１の説明を参照されたい。なお、第１本器具１１を構成するパイプ部３１と同様の要素には、図中、同一の参照番号を付している。）。これら図５乃至図８を参照して、第２本器具５１について説明する。
なお、ここでは隔壁２０１は、第１本器具１１の場合と同様、図示しない冷房装置の下面を形成するもので、一面２０３と他面２０５とが略水平をなし、該冷房装置から生じる凝縮水（不図示）が一面２０３に滴下するものであり（即ち、ここでも一面２０３が略水平な上面を形成する。）、かかる凝縮水を該冷房装置外へ排水するために隔壁２０１にノズルを形成する目的で第２本器具５１が取り付けられている。また、図６においては、図２と同様、図示を容易にするため、後述の雄ねじ６３ｂ、雌ねじ３３及び雌ねじ３５のねじ山の図示を省略している。
【００２６】
第２本器具５１は、ボルト部６１とパイプ部３１とフィルター部７１とを備えてなる。
ボルト部６１は、後述の貫通部開口６７ａ１、６７ａ２と他面側開口６７ｂと流路６７ｃとが形成されていることを除き、通常の六角ボルトと類似した外形をしている。具体的には、ボルト部６１は、直円柱形状をした軸部６３と、軸部６３の一端側に形成されたボルト頭６５と、を有してなり、軸部６３の外周面には雄ねじ６３ｂが螺刻されている。ボルト頭６５は、直正六角柱形状を略したボルト頭本体６５ｂと、ボルト頭本体６５ｂの両底面（ここでは略正六角形）のうち軸部６３側に軸部６３よりも大きな径で円盤状（高さの小さい直円柱形状）に形成された円盤部６５ｃと、を一体に有してなる（なお、円盤部６５ｃの中心は、直円柱形状をした軸部６３の軸と略一致している。）。円盤部６５ｃは、後で詳述するように、両端が開放された中空の直円筒形状のフィルター部７１の一端から内部に嵌入され、フィルター部７１の内周面に外周面が面することで、円盤部６５ｃに対してフィルター部７１が一面２０３に沿って移動することを所定範囲内に制限する（フィルター部７１の内周面７１ｃに円盤部６５ｃの外周面６５ｃａが当接することで該移動を制限する。）。
軸部６３の他端側（ボルト頭６５が形成された該一端側と反対側）の先端には、他面側開口６７ｂが略円形（軸部６３が形成する直円柱の軸に中心が略存する円）に形成されている。そして、軸部６３の側面（軸部６３が形成する直円柱の側面）には、貫通部開口６７ａ１、６７ａ２がそれぞれ略円形に形成されている（貫通部開口６７ａ１は、軸部６３が形成する直円柱の側面に、軸部６３が形成する直円柱の軸に対して垂直な一直線が交わる２の交点の一方を中心として形成されると共に、貫通部開口６７ａ２は該２の交点の他方を中心として形成されている。）。そして、軸部６３が形成する直円柱の軸に沿って軸部６３内部に流路６７ｃが形成されており、貫通部開口６７ａ１、６７ａ２と他面側開口６７ｂとが流路６７ｃによって連通している。
【００２７】
パイプ部３１は、前述のように、第１本器具１１を構成するパイプ部３１（他面側部材）と同様のものを用いているが、雌ねじ３３は軸部６３の雄ねじ６３ｂと螺嵌可能に形成されている。また、ガスケット部材３９についても第１本器具１１のものと同様である。
【００２８】
フィルター部７１は、両端が開放された中空の直円筒形状を有しており、該両端の一方を規定する一縁７３ａと他縁７３ｂ（なお、一縁７３ａが沿った平面は、他縁７３ｂが沿った平面に略平行である。）との間の該直円筒の側面には、フィルター部７１の外部空間７５ａと内部空間７５ｂとを連通させる複数（多数）の流通穴７７（一面側開口）が穿設されている。
そして、フィルター部７１の内径ｄ１（図８（ａ）参照）は、円盤部６５ｃの外径ｄ２（図７（ｂ）参照）よりもやや大きくされており（ｄ１＞ｄ２）、図６に示すように円盤部６５ｃはフィルター部７１の他縁７３ｂ側から内部に嵌入されることで、フィルター部７１の内周面７１ｃに外周面６５ｃａが面し、円盤部６５ｃに対してフィルター部７１が一面２０３に沿って移動することを所定範囲内に制限する。また、フィルター部７１は、ボルト頭本体６５ｂの円盤部６５ｃが形成された底面のうち円盤部６５ｃが形成されていない部分６６（外周面６５ｃａの外側）に他縁７３ｂが当接し、一面２０３に一縁７３ａが当接することで、一面２０３とボルト頭６５との間に挟持される。そして、フィルター部７１の内周面７１ｃに外周面６５ｃａが面し、円盤部６５ｃに対してフィルター部７１が一面２０３に沿って移動することを制限することで、ボルト頭本体６５ｂの円盤部６５ｃが形成された底面のうち円盤部６５ｃが形成されていない部分６６に他縁７３ｂが周のいずれの場所においても当接し、一面２０３に一縁７３ａが周のいずれの場所においても当接する状態が保たれる。かかる状態が保たれることで、フィルター部７１の外部空間７５ａと内部空間７５ｂとは、一縁７３ａと他縁７３ｂとが規定する両端においては連通せず、複数（多数）の流通穴７７によって連通するので、外部空間７５ａから内部空間７５ｂへ流入することができるものは流通穴７７を通過できるもののみであり、これによってフィルター部７１が外部空間７５ａから内部空間７５ｂへ異物が進入することを防止又は予防するフィルターとして機能することができる。なお、ここでは個々の流通穴７７は円形（略円柱形）に穿設されているが、流通穴７７の直径は貫通部開口６７ａ１、６７ａ２の直径よりも十分小さく、貫通部開口６７ａ１、６７ａ２、流路６７ｃそして内部空間３７ｃにおける異物閉塞等の問題をフィルター部７１は効果的に防止又は減少させることができる。
【００２９】
このような第２本器具５１を用い、隔壁２０１にノズルを形成する方法を簡単に説明しておく。
第１に、隔壁２０１の所定位置（ノズルを形成すべき位置）に、ボルト部６１の軸部６３が嵌入できるような貫通孔２０７を穿設する。なお、貫通孔２０７は、第２本器具５１を取り付けることで塞ぐことができる程度の大きさにする。
第２に、穿設した貫通孔２０７にボルト部６１の軸部６３を嵌入する。このときボルト頭本体６５ｂの円盤部６５ｃが形成された底面のうち円盤部６５ｃが形成されていない部分６６に他縁７３ｂが当接し、一面２０３に一縁７３ａが当接するよう、フィルター部７１をボルト部６１の軸部６３に外嵌した後、貫通孔２０７に軸部６３を嵌入する。
第３に、貫通孔２０７に嵌入された軸部６３の外周面に螺刻された雄ねじ６３ｂに、パイプ部３１に螺刻された雌ねじ３３を螺嵌する。このときガスケット部材３９は凹部３８に予め嵌入しておく。
第４に、雄ねじ６３ｂが雌ねじ３３に深く螺嵌するように、パイプ部３１に対してボルト部６１を回転させる。このとき必要に応じ、レンチ等の工具（不図示）を工具係合窪み３６ａ、３６ｂに係合させ、該工具によってパイプ部３１がボルト部６１と一緒に回転すること（共回り）を防止することができる。
図６に示すように、隔壁２０１の他面２０５にガスケット部材３９が全周にわたって当接し（フィルター部７１の一縁７３ａとガスケット部材３９との間に隔壁２０１が挟持されるようにする。）、パイプ部３１と他面２０５との間の液密性及び気密性が保たれるようになるまでパイプ部３１に対してボルト部６１を回転させれば、第２本器具５１の取り付けが完了する。
その後、必要があれば、パイプ部３１の他端開口３７ｂに、図示しない導管等を取り付けることができる（例えば、雌ねじ３５に螺合する雄ねじを該導管の端部に形成してもよい。）。
こうすることで第２本器具５１を用い隔壁２０１にノズル（隔壁２０１の一面２０３に面する空間に他端開口３７ｂが連通する。）を形成することで、前記冷房装置（不図示）から生じる凝縮水（不図示）が一面２０３に滴下し、一面２０３に沿って一面側開口たる流通穴７７に到達すると、流通穴７７を通過可能なもののみが外部空間７５ａから内部空間７５ｂへ流入する。そして内部空間７５ｂへ流入したものは、貫通部開口６７ａ１、６７ａ２から流路６７ｃを通過し他面側開口６７ｂに到り、さらに内部空間３７ｃを通過して他端開口３７ｂから排出される。このように第２本器具５１を隔壁２０１に取り付けることで、隔壁２０１の一面２０３側に存する空間に一端が存し、隔壁２０１の他面２０５側に突出した他端が該空間（隔壁２０１の一面２０３側に存する空間）に連通する管状のノズルを形成することができる。
【００３０】
以上説明した通り、第２本器具５１は、一面２０３と他面２０５との両面を有する隔壁２０１に該一面２０３と該他面２０５とを連通させるように形成された貫通孔２０７に取り付けられるノズル形成器具であって、該一面２０３に当接する一面当接部（ここではフィルター部７１の一縁７３ａ）を有し、該他面２０５側に突出するよう該貫通孔２０７を貫通する一面側部材（ここではボルト部６１とフィルター部７１とにより構成される。）と、該他面２０５に当接する他面当接部（ガスケット部材３９）を有し、一面側部材（ボルト部６１とフィルター部７１とにより構成される。）に係合する他面側部材たるパイプ部３１と、を備えてなり、一面側部材（ボルト部６１とフィルター部７１とにより構成される。）と他面側部材（パイプ部３１）とが係合することにより一面当接部（フィルター部７１の一縁７３ａ）と他面当接部（ガスケット部材３９）との間に隔壁２０１が挟持されることにより隔壁２０１に取り付けられると共に、隔壁２０１に取り付けられた状態において、該貫通孔２０７を塞ぐと共に一面２０３側の空間と他面２０５側の空間とを連通させる連通路（流通穴７７から内部空間７５ｂ、貫通部開口６７ａ１、６７ａ２、流路６７ｃそして内部空間３７ｃから他端開口３７ｂに至る内部空間）が内部に形成されるものである、ノズル形成器具である。
そして、第２本器具５１においては、一面側部材（ボルト部６１とフィルター部７１とにより構成される。）が、前記貫通孔２０７に貫入される棒状の貫通部たる軸部６３と、貫通部（軸部６３）の一端側に形成された一面当接部（フィルター部７１の一縁７３ａ）を有する頭部（ここではボルト頭６５とフィルター部７１とにより構成される。）と、を有してなり、頭部（ボルト頭６５とフィルター部７１とにより構成される。）に形成された一面側開口たる複数（多数）の流通穴７７と、貫通部（軸部６３）に形成された他面側開口６７ｂと、一面側開口（流通穴７７）と他面側開口６７ｂとを連通させる流路（ここでは内部空間７５ｂから貫通部開口６７ａ１、６７ａ２を経て流路６７ｃが該当する。）と、により前記連通路（流通穴７７から内部空間７５ｂ、貫通部開口６７ａ１、６７ａ２、流路６７ｃそして内部空間３７ｃから他端開口３７ｂに至る内部空間）の一部が形成されるものである。
【００３１】
第２本器具５１においては、前記頭部（ボルト頭６５とフィルター部７１とにより構成される。）が、外部空間７５ａと内部空間７５ｂとを連通させる一面側開口を構成する流通穴７７が形成された筒部材たるフィルター部７１であって、一縁７３ａが前記一面２０３に当接する一面当接部（フィルター部７１の一縁７３ａ）を構成すると共に前記貫通部（軸部６３）を取り囲む筒部材（フィルター部７１）を有しており、前記貫通部（軸部６３）が、筒部材（フィルター部７１）の内部（内部空間７５ｂ）に存する貫通部（軸部６３）に形成された貫通部開口６７ａ１、６７ａ２と、貫通部開口６７ａ１、６７ａ２と他面側開口６７ｂとを連通させる貫通部流路たる流路６７ｃと、を有するものであり、一面側開口を構成する流通穴７７と他面側開口６７ｂとが、筒部材（フィルター部７１）の内部空間７５ｂと貫通部流路（流路６７ｃ）とにより連通されるものである。そして、ここでは前記流通穴７７が貫通部開口６７ａ１、６７ａ２よりも小さいものである。
第２本器具５１においては、前記頭部（ボルト頭６５とフィルター部７１とにより構成される。）が、前記筒部材（フィルター部７１）を前記一面２０３との間で挟持し、前記一面２０３に沿った少なくとも一方向（ここでは全方向）への筒部材（フィルター部７１）の移動を制限する頭部本体たるボルト頭６５を有するものである。
頭部本体たるボルト頭６５が、筒部材（フィルター部７１）の内面に当接する内面当接部と、筒部材（フィルター部７１）の筒外面に当接する外面当接部と、のいずれか一方（ここでは筒部材（フィルター部７１）の内面（内周面７１ｃ）に当接する内面当接部たる円盤部６５ｃの外周面６５ｃａ）を有する。
【００３２】
第２本器具５１においては、前記貫通部（軸部６３）の外周面の少なくとも一部には雄ねじ６３ｂが螺刻されると共に、他面側部材（パイプ部３１）は、該雄ねじ６３ｂが螺嵌される雌ねじ３３が螺刻されているものである。
他面側部材（パイプ部３１）が、一端側から内周面に前記雌ねじ３３が螺刻された管部材であり、貫通部（軸部６３）の他端（他面側開口６７ｂが形成された側。ボルト頭６５が形成された該一端側と反対側）を内部に収容するものである。加えて、他面側部材（パイプ部３１）を構成する管部材に導管が接続可能である。例えば、パイプ部３１の他端開口３７ｂ側に螺刻された雌ねじ３５に導管の一端をつなぐこともできる。
第２本器具５１においては、一面側部材（ボルト部６１とフィルター部７１とにより構成される。）と他面側部材（パイプ部３１）との少なくとも一方（ここでは他面側部材（パイプ部３１））が、該一方（ここでは他面側部材（パイプ部３１））が当接する隔壁２０１の面（他面２０５）と該一方（ここでは他面側部材（パイプ部３１））との間の液密性及び／又は気密性を保つよう前記貫通孔２０７を取り囲むよう該間（該一方（ここでは他面側部材（パイプ部３１））が当接する隔壁２０１の面（他面２０５）と該一方（ここでは他面側部材（パイプ部３１））との間）に介在するガスケット部材３９を有するものである。
これら第２本器具５１を構成する前記一面側部材（ボルト部６１とフィルター部７１とにより構成される。）及び前記他面側部材（パイプ部３１）はいずれか一方単独で製造や販売等されてもよいが、前記一面側部材（ボルト部６１とフィルター部７１）と前記他面側部材（パイプ部３１）とを含むセットとして製造や販売等されてもよい。
【図面の簡単な説明】
【００３３】
【図１】第１実施形態の本発明のノズル形成器具（第１本器具）を、隔壁に形成された貫通孔に取り付けたところを示す図である。
【図２】図１（ｂ）のＢ−Ｂ断面図である。
【図３】第１本器具を構成するボルト部を示す図である。
【図４】第１本器具を構成するパイプ部を示す図である。
【図５】第２実施形態の本発明のノズル形成器具（第２本器具）を、隔壁に形成された貫通孔に取り付けたところを示す図である。
【図６】図５（ｂ）のＤ−Ｄ断面図である。
【図７】第２本器具を構成するボルト部を示す図である。
【図８】第２本器具を構成するフィルター部（筒部材）を示す図である。
【符号の説明】
【００３４】
１１            第１本器具
２１            ボルト部
２３            軸部
２３ｂ          雄ねじ
２５            ボルト頭
２５ａ          下面
２７ａ          一面側開口
２７ｂ          他面側開口
２７ｃ          流路
２７ｃ１        第１流路
２７ｃ２        第２流路
２７ｃ３        交部
３１            パイプ部
３３            雌ねじ
３５            雌ねじ
３６ａ、３６ｂ  工具係合窪み
３７ａ          一端開口
３７ｂ          他端開口
３７ｃ          内部空間
３８            凹部
３９            ガスケット部材
５１            第２本器具
６１            ボルト部
６３            軸部
６３ｂ          雄ねじ
６５            ボルト頭
６５ｂ          ボルト頭本体
６５ｃ          円盤部
６５ｃａ        外周面
６６            底面のうち円盤部が形成されていない部分
６７ａ１、６７ａ２  貫通部開口
６７ｂ          他面側開口
６７ｃ          流路
７１            フィルター部
７１ｃ          内周面
７３ａ          一縁
７３ｂ          他縁
７５ａ          外部空間
７５ｂ          内部空間
７７            流通穴
２０１            隔壁
２０３            一面
２０５            他面
２０７            貫通孔
【図１】
0005219190.tif 000002
【図２】
0005219190.tif 000003
【図３】
0005219190.tif 000004
【図４】
0005219190.tif 000005
【図５】
0005219190.tif 000006
【図６】
0005219190.tif 000007
【図７】
0005219190.tif 000008
【図８】
0005219190.tif 000009